(57)【要約】【課題】電子機器において、設置面に取り付けた後でも、電子回路を内蔵する筐体の所定の面に配置される端子、操作部、及び表示部の少なくとも一つと、設置面との距離を離すことを可能にする。【解決手段】蝶番である上部の壁面取付部２を利用して電子機器であるブースターを壁面２０１に取り付けた場合において、上部の壁面取付部２を折り曲げることにより、ブースターの背面が壁面２０１から離れていない状態よりも端子４と壁面２０１との距離を長くする。【選択図】図２
2012142372.tif 000002
【特許請求の範囲】
【請求項１】
電子回路を内蔵する筐体と、
前記筐体の所定の面に配置される端子、操作部、及び表示部の少なくとも一つと、
設置面取付部と、
前記設置面取付部とは別の設置面取付部とを備える電子機器であって、
前記設置面取付部が可動するものであり、
前記設置面取付部を利用して前記電子機器を設置面に取り付けた場合において、前記設置面取付部の可動により、前記電子機器の背面が前記設置面から離れていない第１の状態と、前記端子、操作部、及び表示部の少なくとも一つが前記第１の状態よりも前記設置面から離れている第２の状態のいずれもとることができ、
前記別の設置面取付部を利用して前記電子機器を前記設置面に取り付けると、前記電子機器が前記第１の状態で前記設置面に固定されることを特徴する電子機器。
【請求項２】
前記第２の状態を保持する保持手段を備えることを特徴とする請求項１に記載の電子機器。
【発明の詳細な説明】
【技術分野】
【０００１】
本発明は、壁面や配電ボックスの底面などの設置面に電子機器を取り付けるための設置面取付部を備える電子機器に関する。
【背景技術】
【０００２】
壁面や配電ボックスの底面などの設置面に電子機器を取り付けるための設置面取付部を備える電子機器の一例として、壁面取付部を備えるブースター（例えば特許文献１参照）が挙げられる。
【０００３】
従来の壁面取付部を備えるブースターでは、図１６に示すように、上部の壁面取付部１０１、下部の壁面取付部１０２がそれぞれ１枚物の金具で構成されている。なお、図１６（a）は従来の壁面取付部を備えるブースターの正面図を、図１６（ｂ）は従来の壁面取付部を備えるブースターの背面図を、図１６（ｃ）は従来の壁面取付部を備えるブースターの側面図をそれぞれ示している。
【先行技術文献】
【特許文献】
【０００４】
【特許文献１】特開２００３−２９８２６３号公報（段落０００９、段落００１０、及び第２図）
【発明の概要】
【発明が解決しようとする課題】
【０００５】
図１６に示す従来の壁面取付部を備えるブースターでは上記の通り上部の壁面取付部１０１が１枚物の金具で構成されているので、上部の壁面取付部１０１に設けられている壁面取付孔１０１ａを利用して、図１６に示す従来の壁面取付部を備えるブースターを壁面にネジ（不図示）止めした場合、図１７に示すように、壁面２０１と、従来の壁面取付部を備えるブースターの底面に設けられている端子（ＲＦ入力端子やＲＦ出力端子など）１０３との距離Ｌが短いまま固定される。このため、端子１０３に対する同軸ケーブルの取り付け作業において壁面２０１が邪魔になり作業性が悪かった。
【０００６】
このような課題は、壁面取付部を備えるブースターに限らず、壁面や配電ボックスの底面などの設置面に電子機器を取り付けるための設置面取付部を備える電子機器全般に共通する課題である。また、設置面と電子機器に設けられる端子との距離が短い場合以外にも、設置面と電子機器に設けられる操作部（例えば切替スイッチなど）との距離が短い場合には、操作部の操作において設置面が邪魔になり作業性が悪いという課題があり、設置面と電子機器に設けられる表示部（例えば表示用発光ダイオードなど）との距離が短い場合には、表示部の表示状態確認において設置面が邪魔になり作業性が悪いという課題がある。
【０００７】
本発明は、上記の状況に鑑み、作業性を向上させることができる電子機器を提供することを目的とする。
【課題を解決するための手段】
【０００８】
上記目的を達成するために本発明に係る電子機器は、電子回路を内蔵する筐体と、前記筐体の背面に隣接する面のいずれかに配置される端子、操作部、及び表示部の少なくとも一つと、設置面取付部と、前記設置面取付部とは別の設置面取付部とを備える電子機器であって、前記設置面取付部が可動するものであり、前記設置面取付部を利用して前記電子機器を設置面に取り付けた場合において、前記設置面取付部の可動により、前記筐体の背面が前記設置面から離れていない第１の状態と、前記端子、操作部、及び表示部の少なくとも一つが前記第１の状態よりも前記設置面から離れている第２の状態のいずれもとることができ、前記別の設置面取付部を利用して前記電子機器を前記設置面に取り付けると、前記電子機器が前記第１の状態で前記設置面に固定される構成とする。なお、前記筐体の背面が前記設置面から離れていない第１の状態には、前記筐体の背面と前記設置面との間に隙間が存在する状態も含まれる。
【０００９】
このような構成によると、前記設置面取付部を利用して電子機器を設置面に取り付けた後でも、前記別の設置面取付部を利用して電子機器を設置面に取り付けていなければ、前記端子、操作部、及び表示部の少なくとも一つが前記第１の状態よりも前記設置面から離れている第２の状態をとることができる。これにより、作業性を向上させることができる。
【００１０】
また、上記構成の電子機器において、前記第２の状態を保持する保持手段を備えることが望ましい。
【発明の効果】
【００１１】
本発明に係る電子機器によると、作業性を向上させることができる。
【図面の簡単な説明】
【００１２】
【図１】筐体の背面が壁面から離れていない状態での本発明の第１実施形態に係るブースターの斜視図及び側面図である。
【図２】筐体の背面が壁面から離れていない状態よりも端子が壁面から離れている状態での本発明の第１実施形態に係るブースターの斜視図及び側面図である。
【図３】筐体の背面が壁面から離れていない状態での本発明の第２実施形態に係るブースターの斜視図及び側面図である。
【図４】筐体の背面が壁面から離れていない状態よりも端子が壁面から離れている状態での本発明の第２実施形態に係るブースターの斜視図及び側面図である。
【図５】図４に示す状態での下部の壁面取付部及び支持部材の部分拡大側面図である。
【図６】筐体の背面が壁面から離れていない状態での本発明の第３実施形態に係るブースターの斜視図及び側面図である。
【図７】筐体の背面が壁面から離れていない状態よりも端子が壁面から離れている状態での本発明の第３実施形態に係るブースターの斜視図及び側面図である。
【図８】筐体の背面が壁面から離れていない状態よりも端子が壁面から離れている状態での本発明の第４実施形態に係るブースターの斜視図及び側面図である。
【図９】筐体の背面が壁面から離れていない状態よりも端子が壁面から離れている状態での本発明の第４実施形態に係るブースターの正面図である。
【図１０】図９に示すＡ−Ａ切断線で切断した部分断面図である。
【図１１】筐体の背面が壁面から離れていない状態よりも端子が壁面から離れている状態での本発明の第４実施形態に係るブースターの拡大部分斜視図である。
【図１２】筐体の背面が壁面から離れていない状態での本発明の第４実施形態に係るブースターの斜視図及び側面図である。
【図１３】筐体の背面が壁面から離れていない状態での本発明の第４実施形態に係るブースターの正面図である。
【図１４】図１３に示すＡ−Ａ切断線で切断した部分断面図である。
【図１５】筐体の背面が壁面から離れていない状態での本発明の第４実施形態に係るブースターの拡大部分斜視図である。
【図１６】従来の壁面取付部を備えるブースターの概略構成例を示す図である。
【図１７】従来の壁面取付部を備えるブースターを壁面に取り付けた状態を示す図である。
【発明を実施するための形態】
【００１３】
本発明の実施形態について図面を参照して以下に説明する。本発明は、壁面や配電ボックスの底面などの設置面に電子機器を取り付けるための設置面取付部を備える電子機器全般に適用することができるが、ここでは、当該電子機器の一例である壁面取付部を備えるブースターに本発明を適用した場合を例に挙げて説明する。
【００１４】
＜第１実施形態＞
本発明の第１実施形態に係るブースターは、図１に示すように、アンプ等の電子回路（不図示）を内蔵している筐体１と、筐体１の背面上部に接続されている上部の壁面取付部２と、筐体１の背面下部中央に接続されている下部の壁面取付部３と、筐体１の底面に設けられている端子（ＲＦ入力端子やＲＦ出力端子など）４とを備える構成である。なお、図１（a）は筐体の背面が壁面から離れていない状態での本発明の第１実施形態に係るブースターの斜視図を、図１（ｂ）は筐体の背面が壁面から離れていない状態での本発明の第１実施形態に係るブースターの側面図をそれぞれ示している。
【００１５】
上部の壁面取付部２に設けられている壁面取付孔２ａを利用して、本発明の第１実施形態に係るブースターを壁面２０１にネジ（不図示）止めした場合、図１に示すように、壁面２０１と端子４との距離Ｌが短いままであれば、端子４に対する同軸ケーブル２０２の取り付け作業において壁面２０１が邪魔になり作業性が悪い。
【００１６】
しかしながら、上部の壁面取付部２は蝶番であるため、上部の壁面取付部２に設けられている壁面取付孔２ａを利用して、本発明の第１実施形態に係るブースターを壁面２０１にネジ止めしている場合であっても、下部の壁面取付部３を利用して本発明の第１実施形態に係るブースターを壁面２０１に取り付けていなければ、作業者は、図２に示すように、壁面２０１から端子４を離すことができる。これにより、壁面２０１と端子４との距離Ｌを長くすることができ、端子４に対する同軸ケーブル２０２の取り付け作業において壁面２０１が邪魔にならず作業性を向上させることができる。
【００１７】
したがって、本発明の第１実施形態に係るブースターの設置手順としては、まず上部の壁面取付部２を利用して本発明の第１実施形態に係るブースターを壁面２０１に取り付け、その後、端子４が壁面２０１から離れている状態にして端子４と同軸ケーブル２０２を接続し、最後に、筐体１の背面が壁面２０１から離れていない状態にして下部の壁面取付部３を利用した本発明の第１実施形態に係るブースターの壁面２０１への取り付けを行うようにすればよい。
【００１８】
＜第２実施形態＞
本発明の第２実施形態に係るブースターは、図３に示すように、アンプ等の電子回路（不図示）を内蔵している筐体１と、筐体１の背面上部に接続されている上部の壁面取付部２と、筐体１の背面下部中央に接続されている下部の壁面取付部３と、筐体１の底面に設けられている端子（ＲＦ入力端子やＲＦ出力端子など）４と、支持部材５とを備える構成である。なお、図３（a）は筐体の背面が壁面から離れていない状態での本発明の第２実施形態に係るブースターの斜視図を、図３（ｂ）は筐体の背面が壁面から離れていない状態での本発明の第２実施形態に係るブースターの側面図をそれぞれ示している。
【００１９】
上部の壁面取付部２に設けられている壁面取付孔２ａを利用して、本発明の第２実施形態に係るブースターを壁面２０１にネジ（不図示）止めした場合、図３に示すように、壁面２０１と端子４との距離Ｌが短いままであれば、端子４に対する同軸ケーブル２０２の取り付け作業において壁面２０１が邪魔になり作業性が悪い。
【００２０】
しかしながら、上部の壁面取付部２は蝶番であるため、上部の壁面取付部２に設けられている壁面取付孔２ａを利用して、本発明の第２実施形態に係るブースターを壁面２０１にネジ止めしている場合であっても、下部の壁面取付部３を利用して本発明の第２実施形態に係るブースターを壁面２０１に取り付けていなければ、作業者は、図４に示すように、壁面２０１から端子４を離すことができる。これにより、壁面２０１と端子４との距離Ｌを長くすることができ、端子４に対する同軸ケーブル２０２の取り付け作業において壁面２０１が邪魔にならず作業性を向上させることができる。
【００２１】
さらに、棒状の支持部材５により、壁面２０１から端子４が離れている状態を保持することができる。図４に示す状態での下部の壁面取付部３及び支持部材５の部分拡大側面図を図５に示す。支持部材５は支点５ａで下部の壁面取付部３に回動自在に取り付けられている。下部の壁面取付部３の側面は、図５において斜線を付した領域が紙面手前側に高くなっている形状であり、当該領域によって支持部材５の回動が制止される。なお、このような制止機構は必ずしも必要ではなく、例えば制止機構を設ける代わりに、支持部材５の壁面２０１側先端に粘着層を設け、支持部材５の壁面２０１側先端と壁面２０１とが接着するようにしてもよい。
【００２２】
したがって、本発明の第２実施形態に係るブースターの設置手順としては、まず上部の壁面取付部２を利用して本発明の第２実施形態に係るブースターを壁面２０１に取り付け、その後、端子４が壁面２０１から離れている状態にし、その状態を棒状の支持部材５によって保持しながら端子４と同軸ケーブル２０２を接続し、最後に、棒状の支持部材５による状態保持を解除して、筐体１の背面が壁面２０１から離れていない状態にして下部の壁面取付部３を利用した本発明の第２実施形態に係るブースターの壁面２０１への取り付けを行うようにすればよい。
【００２３】
＜第３実施形態＞
本発明の第３実施形態に係るブースターは、図６に示すように、アンプ等の電子回路（不図示）を内蔵している筐体１と、筐体１の背面上部に接続されている上部の壁面取付部２と、筐体１の底面に設けられている端子（ＲＦ入力端子やＲＦ出力端子など）４と、筐体１の背面下部に配置されている支持部材６とを備える構成である。なお、図６（a）は筐体の背面が壁面から離れていない状態での本発明の第３実施形態に係るブースターの斜視図を、図６（ｂ）は筐体の背面が壁面から離れていない状態での本発明の第３実施形態に係るブースターの側面図をそれぞれ示している。
【００２４】
上部の壁面取付部２に設けられている壁面取付孔２ａを利用して、本発明の第３実施形態に係るブースターを壁面２０１にネジ（不図示）止めした場合、図６に示すように、壁面２０１と端子４との距離Ｌが短いままであれば、端子４に対する同軸ケーブル２０２の取り付け作業において壁面２０１が邪魔になり作業性が悪い。
【００２５】
しかしながら、上部の壁面取付部２は蝶番であるため、上部の壁面取付部２に設けられている壁面取付孔２ａを利用して、本発明の第３実施形態に係るブースターを壁面２０１にネジ止めしている場合であっても、作業者は、図７に示すように、壁面２０１から端子４を離すことができる。これにより、壁面２０１と端子４との距離Ｌを長くすることができ、端子４に対する同軸ケーブル２０２の取り付け作業において壁面２０１が邪魔にならず作業性を向上させることができる。
【００２６】
さらに、支持部材６により、壁面２０１から本発明の第３実施形態に係るブースターが離れている状態を保持することができる。支持部材６は支点６ａで筐体１に回動自在に取り付けられている。図７に示す状態において、筐体１の側面に設けられる陥没部１ａと支持部材６に設けられる突起部とが嵌合し、その嵌合によって支持部材６の回動が制止される。なお、このような制止機構は必ずしも必要ではなく、例えば制止機構を設ける代わりに、支持部材６の壁面２０１側端面に粘着層を設け、支持部材６の壁面２０１側端面と壁面２０１とが接着するようにしてもよい。
【００２７】
なお、本発明の第１，２実施形態に係るブースターが備える下部の壁面取付部３を備える構成にするのではなく、支持部材６の下部中央に壁面取付孔を設け、支持部材６に設けられている壁面取付孔を利用して、本発明の第３実施形態に係るブースターを壁面２０１にネジ（不図示）止めした場合、筐体１の背面が壁面２０１から離れていない状態で本発明の第３実施形態に係るブースターが壁面２０１に固定されることが望ましい。
【００２８】
上記のように支持部材６の下部中央に壁面取付孔を設けた場合、本発明の第３実施形態に係るブースターの設置手順としては、まず上部の壁面取付部２を利用して本発明の第３実施形態に係るブースターを壁面２０１に取り付け、その後、端子４が壁面２０１から離れている状態にし、その状態を支持部材６によって保持しながら端子４と同軸ケーブル２０２を接続し、最後に、支持部材６による状態保持を解除して、筐体１の背面が壁面２０１から離れていない状態にして支持部材６に設けられている壁面取付孔を利用した本発明の第３実施形態に係るブースターの壁面２０１への取り付けを行うようにすればよい。
【００２９】
＜第４実施形態＞
本発明の第４実施形態に係るブースターは、図８に示すように、アンプ等の電子回路（不図示）を内蔵している筐体１と、筐体１の背面上部に接続されている上部の壁面取付部７と、上部の壁面取付部７の中央に配置される捻りばね８と、筐体１の背面下部中央に接続されている下部の壁面取付部３と、筐体１の底面に設けられている端子（ＲＦ入力端子やＲＦ出力端子など）４とを備える構成である。なお、図８（a）は筐体の背面が壁面から離れていない状態よりも端子が壁面から離れている状態での本発明の第４実施形態に係るブースターの斜視図を、図８（ｂ）は筐体の背面が壁面から離れていない状態よりも端子が壁面から離れている状態での本発明の第４実施形態に係るブースターの側面図をそれぞれ示している。
【００３０】
捻りばね８は、蝶番である上部の壁面取付部７が閉じる向きに付勢するように形成されている。しかしながら、蝶番である上部の壁面取付部７は、閉じる方向の回動を制止するためのストッパ部端面７ｂ及び７ｃ（図１１参照）を有しており、図８に示す状態での本発明の第４実施形態に係るブースターの正面図である図９に示すＡ−Ａ切断線で切断した部分断面図である図１０、及び、図８に示す状態での本発明の第４実施形態に係るブースターの拡大部分斜視図である図１１のように、ストッパ部端面７ｂとストッパ部端面７ｃとが当接することにより、閉じる方向の回動を制止しているので、本発明の第４実施形態に係るブースターは、図８に示す状態を保持することができる。
【００３１】
したがって、上部の壁面取付部７に設けられている壁面取付孔７ａを利用して、本発明の第４実施形態に係るブースターを壁面２０１にネジ（不図示）止めした場合、自然に図８に示すように端子４が壁面２０１から離れている状態になる。これにより、壁面２０１と端子４との距離Ｌを長くすることができ、端子４に対する同軸ケーブル２０２の取り付け作業において壁面２０１が邪魔にならず作業性を向上させることができる。
【００３２】
一方、本発明の第４実施形態に係るブースターを完全に壁面２０１に固定する場合、捻りばね８の付勢力に抗して、本発明の第４実施形態に係るブースターを壁面２０１に押しつけ、図１２に示すような筐体１の背面が壁面２０１から離れていない状態にして、上部の壁面取付部７に設けられている壁面取付孔７ａを利用したネジ止めに加え、下部の壁面取付部３に設けられている壁面取付孔３ａ（図１３参照）も利用して、本発明の第４実施形態に係るブースターを壁面２０１にネジ（不図示）止めする。この場合、図１２に示す状態での本発明の第４実施形態に係るブースターの正面図である図１３に示すＡ−Ａ切断線で切断した部分断面図である図１４、及び、図１２に示す状態での本発明の第４実施形態に係るブースターの拡大部分斜視図である図１５のように、ストッパ部端面７ｂとストッパ部端面７ｃとが当接していない。
【００３３】
したがって、本発明の第４実施形態に係るブースターの設置手順としては、まず上部の壁面取付部２を利用して本発明の第４実施形態に係るブースターを壁面２０１に取り付け、その後、端子４が壁面２０１から離れている状態で端子４と同軸ケーブル２０２を接続し、最後に、捻りばね８の付勢力に抗して、本発明の第４実施形態に係るブースターを壁面２０１に押しつけ、筐体１の背面が壁面２０１から離れていない状態にして、下部の壁面取付部３を利用した本発明の第４実施形態に係るブースターの壁面２０１への取り付けを行うようにすればよい。
【００３４】
＜その他＞
上述した本発明の第１〜第４実施形態において筐体１の底面に設けた端子４に代えてあるいは加えて、操作部（例えば切替スイッチなど）や表示部（例えば表示用発光ダイオードなど）を筐体１の底面に設けてもよい。
【００３５】
上述した本発明の第１〜第４実施形態においては、上部の壁面取付部を蝶番にしたが、本発明はこの形態に限定されることはなく、例えば、上部の壁面取付部を可撓性材料により構成し、上部の壁面取付部の壁面取付孔を利用してブースターを壁面に取り付けた後でも上部の壁面取付部の可動により、ブースターと壁面との距離を離すことができる構成であってもよい。
【符号の説明】
【００３６】
１  筐体
１ａ  陥没部
２、７、１０１  上部の壁面取付部
２ａ、３ａ、７ａ、１０１ａ  壁面取付孔
３、１０２  下部の壁面取付部
４  端子
５、６  支持部材
５ａ  支点
７ｂ、７ｃ  ストッパ部端面
８  捻りばね
２０１  壁面
２０２  同軸ケーブル
【図１】
2012142372.tif 000003
【図２】
2012142372.tif 000004
【図３】
2012142372.tif 000005
【図４】
2012142372.tif 000006
【図５】
2012142372.tif 000007
【図６】
2012142372.tif 000008
【図７】
2012142372.tif 000009
【図８】
2012142372.tif 000010
【図９】
2012142372.tif 000011
【図１０】
2012142372.tif 000012
【図１１】
2012142372.tif 000013
【図１２】
2012142372.tif 000014
【図１３】
2012142372.tif 000015
【図１４】
2012142372.tif 000016
【図１５】
2012142372.tif 000017
【図１６】
2012142372.tif 000018
【図１７】
2012142372.tif 000019